(57)【要約】      （修正有）【課題】利用者の手間が低減される管理装置を提供する。【解決手段】管理装置４は、画像作成装置から受信した画像および画像を用いて作成されたデータの少なくともいずれか一方をコンテンツとして保存する保存サービスを提供する。利用者によって操作される端末装置が、保存サービスにおけるコンテンツの保存処理を行うためにアクセスしてきた場合に、利用者の属性を示す情報を取得し、アクセスに応じて、利用者に課金を行うために必要な操作を実行させる決済画面を、端末装置に最初に表示させる画面制御を行うウェブページ作成部４１３を備える。画面表示制御は、属性に応じて異なる決済画面を端末装置に表示させる制御を行う。【選択図】図１
2019152921.tif 000002
【特許請求の範囲】
【請求項１】
画像作成装置から受信した画像および上記画像を用いて作成されたデータの少なくともいずれか一方をコンテンツとして保存する保存サービスを提供する管理装置であって、
利用者によって操作される端末装置が、上記保存サービスにおける上記コンテンツの保存処理を行うためにアクセスしてきた場合に、上記利用者の属性を示す情報を取得する属性取得部と、
上記アクセスに応じて、上記利用者に課金を行うために必要な操作を実行させる決済画面を、上記端末装置に最初に表示させる制御を行う画面表示制御部と、を備え、
上記画面表示制御部は、上記属性に応じて異なる上記決済画面を上記端末装置に表示させる制御を行うことを特徴とする管理装置。
【請求項２】
上記属性は、上記利用者の会員種別を含むことを特徴とする請求項１に記載の管理装置。
【請求項３】
上記会員種別は、少なくとも、第２種会員と、上記第２種会員よりも有利な保存設定で上記コンテンツを保存可能な会員である第１種会員とを含み、
上記画面表示制御部は、上記利用者の上記会員種別が上記第２種会員である場合に、当該会員種別を上記第１種会員に変更するための決済画面を、上記端末装置に最初に表示させることを特徴とする請求項２に記載の管理装置。
【請求項４】
上記コンテンツの上記保存処理を行うために上記端末装置が当該管理装置にアクセスするためのアクセス情報を作成し、該アクセス情報を上記端末装置に送信するアクセス情報作成部をさらに備えることを特徴とする請求項１から３のいずれか１項に記載の管理装置。
【請求項５】
上記アクセス情報作成部は、上記属性に応じた複数の上記アクセス情報を作成することを特徴とする請求項４に記載の管理装置。
【請求項６】
上記属性は、上記利用者の年齢を含むことを特徴とする請求項１から５のいずれか１項に記載の管理装置。
【請求項７】
上記属性は、上記利用者の性別を含むことを特徴とする請求項１から６のいずれか１項に記載の管理装置。
【請求項８】
画像作成装置から受信した画像および上記画像を用いて作成されたデータの少なくともいずれか一方をコンテンツとして保存する保存サービスを提供する管理装置にアクセスするための端末装置であって、
利用者によって操作され、上記保存サービスにおける上記コンテンツの保存処理を行うために上記管理装置にアクセスした場合に、上記利用者の属性を示す情報を取得する属性取得部と、
上記アクセスに応じて、上記利用者に課金を行うために必要な操作を実行させる決済画面を最初に表示する制御を行う画面表示制御部と、を備え、
上記画面表示制御部は、上記属性に応じて異なる上記決済画面を表示する制御を行うことを特徴とする端末装置。
【請求項９】
請求項１に記載の管理装置としてコンピュータを機能させるためのプログラムであって、上記属性取得部および上記画面表示制御部としてコンピュータを機能させるためのプログラム。
【請求項１０】
請求項８に記載の端末装置としてコンピュータを機能させるためのプログラムであって、上記属性取得部および上記画面表示制御部としてコンピュータを機能させるためのプログラム。
【請求項１１】
請求項９または１０に記載のプログラムを記録したコンピュータ読み取り可能な記録媒体。
【発明の詳細な説明】
【技術分野】
【０００１】
本発明は、画像作成装置から受信した画像または上記画像を用いて作成されたデータの少なくともいずれかをコンテンツとして保存する保存サービスを提供する管理装置等に関する。
【背景技術】
【０００２】
特許文献１には、画像作成装置から受信した画像および上記画像を用いて作成されたデータの少なくともいずれか一方をコンテンツとして保存する保存サービスを提供する管理装置が開示されている。当該管理装置は、画像を取得するためのウェブページを作成するウェブページ作成部を備える。
【０００３】
ウェブページ作成部は、ユーザが無料会員および有料会員のいずれであるかを判定し、判定結果に応じたウェブページを作成する。ウェブページ作成部は、ユーザが無料会員であると判定した場合には、ユーザに有料会員の登録を促すリンク画像を含むウェブページを作成する。ユーザが当該リンク画像を選択した場合、有料会員登録のための処理が行われる。
【先行技術文献】
【特許文献】
【０００４】
【特許文献１】特開２０１７−９７８０６号公報（２０１７年６月１日公開）
【発明の概要】
【発明が解決しようとする課題】
【０００５】
特許文献１に開示されている管理装置においては、有料会員登録を希望する無料会員は、画像を取得するためのウェブページに最初にアクセスし、当該ウェブページにおいて有料会員の登録を促すリンク画像を選択する必要がある。このため、有料会員登録しようとする利用者に手間がかかるという問題がある。
【０００６】
本発明の一態様は、利用者の手間が低減される管理装置などを実現することを目的とする。
【課題を解決するための手段】
【０００７】
上記の課題を解決するために、本発明の一態様に係る管理装置は、画像作成装置から受信した画像および上記画像を用いて作成されたデータの少なくともいずれか一方をコンテンツとして保存する保存サービスを提供する管理装置であって、利用者によって操作される端末装置が、上記保存サービスにおける上記コンテンツの保存処理を行うためにアクセスしてきた場合に、上記利用者の属性を示す情報を取得する属性取得部と、上記アクセスに応じて、上記利用者に課金を行うために必要な操作を実行させる決済画面を、上記端末装置に最初に表示させる制御を行う画面表示制御部と、を備え、上記画面表示制御部は、上記属性に応じて異なる上記決済画面を上記端末装置に表示させる制御を行う。
【０００８】
上記の構成によると、利用者が端末装置により管理装置にアクセスした場合、画面表示制御部は、当該利用者に課金を行うために必要な操作を実行させる決済画面を、端末装置に最初に表示させる制御を行う。決済画面は、属性取得部が取得した、利用者の属性を示す情報に応じて異なる。
【０００９】
したがって、管理装置によれば、利用者の属性に応じた決済画面を端末装置に最初に表示させることで、利用者の手間が低減される。
【００１０】
上記管理装置において、上記属性は、上記利用者の上記会員種別を含む。
【００１１】
上記の構成によると、管理装置は、利用者の会員種別に応じた決済画面を端末装置に最初に表示させることで、決済画面を適切に表示させることができる。
【００１２】
上記管理装置において、上記会員種別は、少なくとも、第２種会員と、上記第２種会員よりも有利な保存設定で上記コンテンツを保存可能な会員である第１種会員とを含み、上記画面表示制御部は、上記利用者の上記会員種別が上記第２種会員である場合に、当該会員種別を上記第１種会員に変更するための決済画面を、上記端末装置に最初に表示させる。
【００１３】
上記の構成によると、画面表示制御部は、第２種会員である利用者に対し、より有利な保存設定でコンテンツを保存可能な第１種会員に変更するための決済画面を端末装置に表示させる。したがって、第２種会員である利用者が会員種別を第１種会員に変更するための手間を低減できる。
【００１４】
上記管理装置は、上記コンテンツの上記保存処理を行うために上記端末装置が当該管理装置にアクセスするためのアクセス情報を作成し、該アクセス情報を上記端末装置に送信するアクセス情報作成部をさらに備える。
【００１５】
上記の構成によると、利用者は、アクセス情報作成部が作成し、端末装置に送信したアクセス情報により管理装置にアクセスできる。したがって、利用者が管理装置にアクセスするための手間が低減される。
【００１６】
上記管理装置において、上記アクセス情報作成部は、上記属性に応じた複数の上記アクセス情報を作成する。
【００１７】
上記の構成によると、利用者は、複数のアクセス情報のうち、所望のアクセス情報により管理装置にアクセスできる。したがって、利用者が管理装置にアクセスするための手間がさらに低減される。
【００１８】
上記管理装置において、上記属性は、上記利用者の年齢を含む。
【００１９】
上記の構成によると、管理装置は、利用者の年齢に応じた決済画面を端末装置に最初に表示させることで、決済画面を適切に表示させることができる。
【００２０】
上記管理装置において、上記属性は、上記利用者の性別を含む。
【００２１】
上記の構成によると、管理装置は、利用者の性別に応じた決済画面を端末装置に最初に表示させることで、決済画面を適切に表示させることができる。
【００２２】
また、上記の課題を解決するために、本発明の一態様に係る端末装置は、画像作成装置から受信した画像および上記画像を用いて作成されたデータの少なくともいずれか一方をコンテンツとして保存する保存サービスを提供する管理装置にアクセスするための端末装置であって、利用者によって操作され、上記保存サービスにおける上記コンテンツの保存処理を行うために上記管理装置にアクセスした場合に、上記利用者の属性を示す情報を取得する属性取得部と、上記アクセスに応じて、上記利用者に課金を行うために必要な操作を実行させる決済画面を最初に表示する制御を行う画面表示制御部と、を備え、上記画面表示制御部は、上記属性に応じて異なる上記決済画面を表示する制御を行う。
【００２３】
上記の構成によると、利用者が端末装置により管理装置にアクセスした場合、画面表示制御部は、当該利用者に課金を行うために必要な操作を実行させる決済画面を、最初に表示する制御を行う。決済画面は、属性取得部が取得した、利用者の属性を示す情報に応じて異なる。
【００２４】
したがって、端末装置によれば、利用者の属性に応じた決済画面を端末装置に最初に表示することで、利用者の手間を低減することができる。
【発明の効果】
【００２５】
本発明の一態様によれば、利用者の手間が低減される管理装置などを実現できる。
【図面の簡単な説明】
【００２６】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】会員種別が暫定会員であるユーザに対する管理サーバの応答の流れを示す図である。
【図１７】会員種別の遷移について説明するための図である。
【図１８】発明の第２実施形態に係る携帯端末の要部構成を示すブロック図である。
【発明を実施するための形態】
【００２７】
〔実施形態１〕
以下、本発明の一実施形態について、詳細に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００２８】
（撮影画像管理システム１０）
図２は、本発明の第１実施形態に係る撮影画像管理システム１０の構成を示す図である。図２に示すように、撮影画像管理システム１０は、写真シール作成装置（画像作成装置）１、携帯端末（端末装置）６、および管理サーバ（管理装置）４を備えている。なお、撮影画像管理システム１０は、携帯端末６以外の端末装置を備えていてもよい。
【００２９】
撮影画像管理システム１０の概要について、以下に説明する。撮影画像管理システム１０は、ユーザ（利用者）の写真撮影、画像の編集、および画像の写真シールとしての印刷を実現する画像作成サービスをユーザに提供する。写真撮影、画像の編集、および画像の写真シールとしての印刷のサービスは、ゲームセンターなどの店舗に設置された写真シール作成装置１によって提供される。
【００３０】
撮影画像管理システム１０はまた、上記画像作成サービスにおいて写真シール作成装置１で作成された画像を管理サーバ４で保存する画像保存サービス（保存サービス）と、保存された画像を、管理サーバ４が管理する画像提供サイト上でユーザに提供する（閲覧、取得させる）画像提供サービスとをユーザに提供する。ユーザは、自身が所持する携帯端末６を操作することによって、自身の撮影画像を画像提供サイトに保存したり、保存した撮影画像を、画像提供サイトを介して取得または閲覧したりすることができる。
【００３１】
なお、管理サーバ４は、写真シール作成装置１で作成された画像を用いて作成されたデータを保存するものであってもよい。すなわち、管理サーバ４は、（ｉ）写真シール作成装置１から受信した画像、および（ｉｉ）上記画像を用いて作成されたデータ、の少なくともいずれか一方をコンテンツとして保存する保存サービスを提供するものであればよい。
【００３２】
画像提供サイトへの画像の保存には、事前の会員登録が必要である。会員種別としては、無料会員（第２種会員）および有料会員（第１種会員）がある。ユーザは、いずれかの会員として自身の情報を画像提供サイトに登録する。ユーザは、自身の会員属性を、無料会員から有料会員に変更する（アップグレード）こと、および有料会員から無料会員に変更（ダウングレード）することができる。
【００３３】
有料会員は、所定の会費（料金）を継続的に支払う必要がある代わりに、画像提供サイトの画像提供サービスについて、無料会員よりも有利なサービスを受けることができる。一方、無料会員は、会費を支払う必要がないが、画像提供サイトで受けられる画像提供サービスに制限を受ける。有料会員と無料会員との、画像提供サービスにおける待遇の違いについては、後で詳述する。
【００３４】
撮影画像管理システム１０における写真撮影から画像保存までの流れについて、以下に簡潔に説明する。１人または複数人のユーザは、代金を写真シール作成装置１に支払い、写真撮影および画像編集に関するゲームをプレイする。ユーザはゲーム中に自身を被写体として撮影する。ユーザは、撮影によって生成された撮影画像の中から、編集対象の画像をいくつか選択し、好きなように編集する。
【００３５】
また、ユーザは、後で生成画像を画像提供サイトに保存するために、写真シール作成装置１に自身の連絡先（例えばメールアドレス）を入力する。以降は、ユーザが写真シール作成装置１にメールアドレスを入力したこととして説明を行う。しかしながら、メールアドレスは上記連絡先の単なる一例であって、上記連絡先はメールアドレスのみに限定されない。例えば上記連絡先は、例えばメッセージ機能、伝言板機能、またはコメント機能などを有するシステム（メッセージシステム）におけるユーザのアカウントＩＤ等であってもよい。
【００３６】
ゲームの終了後、ユーザは写真シールを手に入れる。一方、写真シール作成装置１は、生成した画像に、入力されたユーザのメールアドレスを関連付けて、管理サーバ４に送信する。複数のメールアドレスが入力された場合、写真シール作成装置１は、生成した画像に、入力された複数のユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００３７】
画像提供サイトへの画像保存後、ユーザは、携帯端末６または所望の他の装置を用いて画像提供サイトにログインして、画像をダウンロードすることができる。
【００３８】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。図３に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００３９】
（撮影ユニット１１）
撮影ユニット１１は、撮影部２１および背景部２２を備えている。撮影部２１と背景部２２とは、所定の距離だけ離れて設置される。撮影部２１と背景部２２との間に形成される空間である撮影空間において、撮影制御が行われる。
【００４０】
撮影部２１は、撮影制御をユーザに行わせる装置である。撮影部２１は、撮影空間に入り、撮影制御を行っているユーザの正面に位置する。撮影空間を正面に臨む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００４１】
背景部２２は、（ｉ）正面を向いて撮影制御を行っているユーザの背面側に位置する板状の部材である背面パネル５１、（ｉｉ）背面パネル５１の左端に取り付けられ、側面パネル４２Ａより横幅の狭い板状の部材である側面パネル５２Ａ、および、（ｉｉｉ）背面パネル５１の右端に取り付けられ、側面パネル４２Ｂより横幅の狭い板状の部材である側面パネル５２Ｂ（図４）、から構成される。
【００４２】
撮影部２１の左側面を構成する側面パネル４２Ａと背景部２２の側面パネル５２Ａとは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂとは、ほぼ同一平面に設けられ、それぞれの上部が板状の部材である連結部２３Ｂによって連結される。
【００４３】
撮影部２１の側面パネル４２Ａ、連結部２３Ａ、および背景部２２の側面パネル５２Ａに囲まれることによって形成される開口が、撮影空間の出入り口Ｇ１となる。撮影部２１の側面パネル４２Ｂ、連結部２３Ｂ、および背景部２２の側面パネル５２Ｂに囲まれることによって形成される開口も、撮影空間の出入り口Ｇ２となる。
【００４４】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００４５】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００４６】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４７】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００４８】
図３に示す編集部１２の構成を正面側の構成とすると、２組のユーザが同時に編集することができるように、編集部１２の正面側と背面側とのそれぞれに、編集制御に用いられる構成が設けられる。
【００４９】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００５０】
編集部１２の上方にはカーテンレール２６が取り付けられる。カーテンレール２６は、上から見たときの形状が矩形の一辺を除去した形状となるように、３本のレール２６Ａ〜２６Ｃを組み合わせて構成される。平行に設けられるレール２６Ａおよび２６Ｂの一端は、連結部２３Ａおよび連結部２３Ｂにそれぞれ固定される。レール２６Ａおよび２６Ｂの他端に、残りの一本のレール２６Ｃの両端がそれぞれ接合される。
【００５１】
カーテンレール２６には、編集部１２の正面前方の空間および背面前方の空間の内部が外から見えないようにカーテンが取り付けられる。カーテンレール２６に取り付けられたカーテンによって囲まれる、編集部１２の正面前方の空間および背面前方の空間が、ユーザが編集制御を行う編集空間となる。
【００５２】
（事後接客部１３）
図４は、写真シール作成装置１の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、および、アンケートに答えさせる処理などが含まれる。
【００５３】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００５４】
（ユーザの移動）
写真シール作成ゲームの流れと、それに伴うユーザの移動について図５を参照して説明する。図５は、ユーザの移動について説明する図である。
【００５５】
写真シール作成装置１のユーザは、白抜き矢印＃１で示すように出入り口Ｇ１（図３）から、または白抜き矢印＃２で示すように出入り口Ｇ２（図３）から、撮影部２１と背景部２２の間に形成された撮影空間Ａ１に入り、撮影部２１に設けられたカメラおよびタッチパネルモニタなどを利用して撮影制御を行う。
【００５６】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００５７】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５８】
編集空間Ａ２−１は、編集部１２の正面側の編集空間であり、編集空間Ａ２−２は、編集部１２の背面側の編集空間である。編集空間Ａ２−１および編集空間Ａ２−２のうち、いずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザ、および編集空間Ａ２−２のユーザは、同時に編集制御を行うことができる。
【００５９】
編集制御が終了した後、画像（編集済みの画像を含む）の中から選択された画像の印刷が開始される。画像の印刷中、編集制御を終えたユーザは、編集空間Ａ２−１で編集制御を行っていた場合には、白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には、白抜き矢印＃６で示すように編集空間Ａ２−２から事後接客空間Ａ３に移動し、事後接客空間Ａ３において事後接客を受け、当該事後接客に対する操作を行う。
【００６０】
画像の印刷が終了したとき、ユーザは、事後接客部１３に設けられた排出口からシール紙を受け取り、一連の写真シール作成ゲームを終えることになる。
【００６１】
（各部材の構成）
次に、写真シール作成装置１に備えられる各部材の構成について説明する。
【００６２】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００６３】
正面パネル４１は撮影空間Ａ１で撮影制御を行うユーザの正面に位置する。側面パネル４２Ａおよび側面パネル４２Ｂは、それぞれ、撮影空間Ａ１で撮影制御を行うユーザの左側、右側に位置する。側面パネル４２Ａの上方には連結部２３Ａが固定される。また、側面パネル４２Ｂの上方には連結部２３Ｂが固定される。
【００６４】
正面パネル４１のほぼ中央には撮影・表示ユニット８１が設けられる。撮影・表示ユニット８１は、カメラ９１、正面ストロボ９２、およびタッチパネルモニタ９３から構成される。
【００６５】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００６６】
カメラ９１の下側に設けられたタッチパネルモニタ９３は、ＬＣＤ（Liquid Crystal Display）などのモニタ、および当該モニタに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００６７】
正面パネル４１には、撮影・表示ユニット８１の位置を基準として、上方に上ストロボ８２が設置される。また、撮影・表示ユニット８１の位置を基準として、左方に左ストロボ８３が設置され、右方に右ストロボ８４が設置される。撮影・表示ユニット８１の下方の位置には、ベース部４３の上面が一部突出する形で下ストロボ８５が設けられる。
【００６８】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００６９】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００７０】
足元ストロボ８６の右側には、ユーザがお金を投入する硬貨投入返却口８７が設けられる。
【００７１】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、および効果音等の音を出力するスピーカも設けられる。
【００７２】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００７３】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００７４】
（編集部１２）
図８は、写真シール作成装置１に備えられる編集部１２の構成例を示す図である。図８に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７５】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００７６】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００７７】
（事後接客部１３）
編集部１２の左側には事後接客部１３が設けられる。図９は、写真シール作成装置１に備えられる事後接客部１３の構成例を示す図である。
【００７８】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００７９】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００８０】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００８１】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００８２】
スピーカ１６５は、事後接客時の案内音声、ＢＧＭ、効果音等の音を出力する。
【００８３】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００８４】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、およびＲＡＭ（Random Access Memory）２０７が接続される。制御部２０１には、撮影部２１、編集部１２、事後接客部１３、および印刷部２１１の各構成も接続される。
【００８５】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００８６】
通信部２０３はインターネットなどのネットワークのインタフェースであり、制御部２０１による制御に従って外部の装置と通信を行う。
【００８７】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００８８】
ＲＯＭ２０６には、制御部２０１において実行されるプログラムおよびデータが記憶されている。ＲＡＭ２０７は、制御部２０１が処理するデータおよびプログラムを一時的に記憶する。
【００８９】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００９０】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００９１】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００９２】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、（ｉ）撮影部２１に設けられる上ストロボ８２、左ストロボ８３、右ストロボ８４、下ストロボ８５、および足元ストロボ８６と、（ｉｉ）背景部２２に設けられる背面中央ストロボ１０１、背面左ストロボ１０２、および背面右ストロボ１０３と、が設けられる。各ストロボの内部には蛍光灯も設けられる。
【００９３】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００９４】
カメラ９１は、制御部２０１による制御に従って撮影を行い、撮影によって得られた画像（画像）を制御部２０１に出力する。
【００９５】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００９６】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００９７】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００９８】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。図１０において一点鎖線で囲んで示す事後接客部１３および印刷部２１１が、事後接客空間Ａ３にいるユーザを相手とした事後接客に関する処理を行う構成となる。
【００９９】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【０１００】
これは、例えば、事後接客部１３などにおいてユーザからメールアドレスの入力を受け付ける際に、タイムアウトまたはミス入力により正しいアドレスを受け付けることができず、画像を取得するためのＵＲＬなどの情報をユーザに送信することができないなどの場合に、シール紙に印刷されているＵＲＬにアクセスしてシールＩＤを入力することによりユーザが画像を取得することができるようにするためである。
【０１０１】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【０１０２】
（制御部の構成）
図１１は、写真シール作成装置１に備えられる制御部２０１の詳細な構成例を示す機能ブロック図である。図１１に示すように、制御部２０１は、通信制御部３１１、撮影制御部３１２、編集制御部３１３、印刷制御部３１４、および事後接客制御部３１５を備えている。
【０１０３】
通信制御部３１１は、通信部２０３による外部の装置との通信を制御する。
【０１０４】
撮影制御部３１２は、撮影部２１による、（ｉ）写真シール作成ゲームを開始する際に投入される代金に関する処理と、（ｉｉ）ユーザの撮影制御に従いユーザグループを撮影する等、写真シール作成ゲームにおけるユーザの撮影制御に関する処理と、を制御する。撮影制御部３１２は、画像が撮影された日時に関する日時情報を生成することもできる。
【０１０５】
編集制御部３１３は、編集部１２Ａおよび編集部１２Ｂによる、画像に対する落書き編集等、写真シール作成ゲームにおけるユーザの編集制御に関する処理を制御する。
【０１０６】
印刷制御部３１４は、印刷部２１１によるシール紙の印刷等、写真シール作成ゲームにおけるユーザの印刷制御に関する処理を制御する。
【０１０７】
事後接客制御部３１５は、事後接客部１３による、編集作業を終了したユーザグループを接客する処理等、写真シール作成ゲームにおける事後接客に関する処理を制御する。
【０１０８】
（管理サーバ４）
次に、管理サーバ４の詳細について、図１を参照して説明する。図１は、本発明の実施形態１に係る管理サーバ４の要部構成を示すブロック図である。図１に示すように、管理サーバ４は、主に、制御部（指示受信部）４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１０９】
（制御部４０１の詳細）
図１に示すように、制御部４０１は、通信制御部４１１、メール作成部（アクセス情報作成部）４１２、ウェブページ作成部（属性取得部、画面表示制御部）４１３、画像管理部４１４、および会員管理部４１５を備えている。
【０１１０】
（通信制御部４１１）
通信制御部４１１は、通信部４０３による通信を制御する。
【０１１１】
（メール作成部４１２）
メール作成部４１２は、写真シール作成装置１で遊んだユーザのメールアドレス宛に送信されるメールを作成する。メールは、コンテンツにユーザがアクセスするためのＵＲＬまたはリンクを含む。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。メールは、通信制御部４１１から通信部４０３を介して携帯端末６へ送信される。すなわち、メール作成部４１２は、コンテンツの保存処理を行うために携帯端末６が管理サーバ４にアクセスするためのアクセス情報を作成し、該アクセス情報を携帯端末６に送信する。
【０１１２】
なお、メール作成部４１２は少なくとも、写真シール作成装置１で遊んだユーザに対する各種通知を作成および出力できればよく、当該通知の形式はメールに限られない。また、当該通知は、プッシュ通知およびプル通知のいずれであってもよい。例えば、写真シール作成装置１から管理サーバ４へ、連絡先としてメッセージシステムにおけるユーザＩＤ等の連絡先が送信されてきた場合、メール作成部４１２は、上記メッセージシステムのメッセージ機能、伝言板機能、またはコメント機能などにおけるメッセージ（すなわち、上記各種通知）を作成し出力してもよい。もしくは、メール作成部４１２は、上記メッセージシステム上のメッセージまたはメールソフトのメールを確認するようユーザに促すプッシュ通知を作成および出力してもよい。
【０１１３】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの属性に応じたウェブページを作成する。本実施形態では、ウェブページ作成部４１３は、ユーザの会員種別に応じたウェブページを作成する。
【０１１４】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１１５】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１１６】
また、画像管理部４１４は、ユーザが会員種別をダウングレードした場合、後述する会員管理部４１５から、当該ユーザのアカウントにおける会員種別の変更、およびダウングレード後の会員種別（すなわち、無料会員）における保存設定を示す情報を受信し、画像データベース４２４の上記ユーザのアカウント領域に保存している画像に、上記受信した情報に基づく保存設定を遡及適用させる。
【０１１７】
なお、画像管理部４１４は、有料会員および無料会員それぞれの場合の保存設定を自己または別途データベースなどに記憶しておき、会員管理部４１５から、ユーザが会員種別をダウングレードしたことを示す情報を受信した場合に、上記保存設定を参照して上記遡及適用を行ってもよい。
【０１１８】
（会員管理部４１５）
会員管理部４１５は、携帯端末６から受信した指示に応じて、ユーザの会員登録、会員種別のアップグレードおよびダウングレード、ならびに会員解約に係る処理を行う。ここで、会員解約とは、会員登録を解除しユーザを非会員にする、すなわち無料会員または有料会員のユーザのユーザ特定情報を削除することを示す。換言すると、会員管理部４１５は、会員データベース４２２へのデータの追加、削除、およびデータの変更を行うものである。
【０１１９】
（記憶部４０２の詳細）
図１に示すように、記憶部４０２は、メールデータベース４２１、会員データベース４２２（ユーザ情報管理手段）、ウェブページデータベース４２３、および画像データベース４２４を有している。なお、図示はしないが、記憶部４０２は、写真シール作成装置１から受信した画像などのデータを一時的に保存する一時保存データベースも有している。
【０１２０】
（メールデータベース４２１）
メールデータベース４２１は、ユーザに送信するメールを作成するための各種データを格納している。
【０１２１】
（会員データベース４２２）
会員データベース４２２は、画像提供サイトの会員であるユーザに関する各種情報を格納している。本実施形態では、会員データベース４２２には、写真シール作成装置１を利用するユーザを特定する情報（ユーザ特定情報）が、ユーザ別に格納されている。ユーザ特定情報としては、例えば、ＯｐｅｎＩＤ（登録商標）、ユーザの会員ＩＤ、メールアドレス、ニックネーム、性別、生年月日、住所、会員種別、入会日、退会日、会員種別変更日、ユーザが登録する記念日、およびユーザが保有する携帯端末の端末ＩＤなどを挙げることができる。また、会員種別は、本実施形態では有料会員および無料会員のいずれかである。会員データベース４２２はさらに、会員の入会日、退会日、および会員種別変更日を格納することにより、ユーザの過去の会員種別の変更履歴を管理する。なお、上記会員種別変更日としては、会員種別を変更した年月日が格納されていても良いし、年月日および時刻が格納されていてもよい。
【０１２２】
（ウェブページデータベース４２３）
ウェブページデータベース４２３は、携帯端末６に表示される画像提供サイトのウェブページを作成するための各種データを格納している。
【０１２３】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。以下の説明では、画像データベース４２４は上記ユーザの画像のみを格納していることとして説明を行うが、画像データベース４２４は画像とともに、または画像に代わり、上記ユーザの画像から作成されたコンテンツを格納していてもよい。例えば、画像データベース４２４は、画像から作成されたスライドショーの動画や、複数の画像をコラージュしたコラージュ画像等を格納していてもよい。
【０１２４】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１２５】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１２６】
（制御部６０１の詳細）
図１２に示すように、制御部６０１は、通信制御部６１１、入力制御部６１２、および表示制御部６１３を備えている。
【０１２７】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１２８】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１２９】
ユーザは、画像提供サイトに会員登録するために、携帯端末６を用いて画像提供サイトにアクセスする。この結果、図１３の（ａ）に示すような画像提供サイトのログインページ１００１が、携帯端末６の表示部６０５に表示される。ログインページ１００１は、会員ログイン処理を進めるためのリンク画像１００２、および無料会員登録処理を進めるためのリンク画像１００３を少なくとも含む。
【０１３０】
ユーザは、携帯端末６の入力部６０４を操作することによって、無料会員登録を進めるためのリンク画像１００３を選択する。この結果、携帯端末６は、管理サーバ４と通信し、図１３の（ｂ）に示すような、無料会員登録用のウェブページ１０１１を表示部６０５に表示する。
【０１３１】
ウェブページ１０１１は、無料会員登録されるユーザのユーザ特定情報を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１３２】
管理サーバ４の通信制御部４１１は、携帯端末６から送信されたユーザ特定情報を、通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１３３】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１３４】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザ特定情報の会員種別は、無料会員であるとして記憶される。最後に、管理サーバ４は、無料会員登録が完了したことを示すウェブページを作成し、携帯端末６に送信する。
【０１３５】
なお、ユーザは、無料会員の登録後、会員ＩＤ及びパスワードを入力することにより画像提供サイトにログインし、課金方法（月額課金、年額課金など）や支払方法（キャリア課金、クレジットカード払い、口座振替など）の選択などを含む所定の手続きを踏むことによって、自身を有料会員として画像提供サイトに登録することができる。この登録が完了すると、ユーザ特定情報の会員種別は、有料会員へと変更される。換言すると、ユーザの会員種別は、無料会員から有料会員へとアップグレードされる。また、ユーザは、一旦有料会員登録をした後、画像提供サイトにログインし所定の手続きを踏むことによって、自身の会員種別を無料会員へと変更することもできる。換言すると、ユーザは自身の会員種別をダウングレードすることができる。ダウングレードが完了すると、ユーザ特定情報の会員種別は、無料会員へと変更される。
【０１３６】
そして、このように会員種別を有料会員から無料会員へと変更したり（ダウングレード）、無料会員から有料会員へと変更したり（アップグレード）した場合、画像保存サービスにおいては、変更後の会員種別の保存設定が遡及されて適用される。
【０１３７】
なお、画像提供サイトは、最初から有料会員登録が可能であってもよい。例えばログインページ１００１（図１３の（ａ））に有料会員登録処理を進めるためのリンク画像を配置し、当該リンク画像がユーザに選択された場合、管理サーバ４のウェブページ作成部４１３が、ユーザ特定情報および有料会員となるために必要な情報を入力するための入力フォームと、入力された情報を管理サーバ４に送信するための送信ボタン等のリンク画像とを含む有料会員登録用のウェブページを作成して携帯端末６に送信し、当該ウェブページを表示部６０５に表示させてもよい。そして、有料会員登録用のウェブページにおいてユーザ特定情報および有料会員となるために必要な情報が入力され、これらの情報が管理サーバ４に送信された場合、管理サーバ４は当該ユーザ特定情報に基づき有料会員登録処理を行い、メール作成部４１２にて有料会員登録用メールを作成し、携帯端末６に送信してもよい。そして、携帯端末６の表示部６０５にて表示された有料会員登録用メールに含まれる、有料会員登録の完了を示すウェブページへのＵＲＬをユーザが選択することにより、一連の有料会員登録処理を完了してもよい。
【０１３８】
（サービスの流れ）
次に、撮影画像管理システム１０によって提供されるサービスの流れの詳細について、図１４、図１５を参照して以下に説明する。図１４は、撮影画像管理システム１０における写真撮影から画像保存までの一連の処理の流れの一例を示すシーケンス図である。
【０１３９】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１４０】
所定の金額分の硬貨が投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１４１】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１４２】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１４３】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１４４】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１４５】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１４６】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１４７】
（画像送信）
通信制御部３１１は、入力されたメールアドレス、画像（編集済みの画像を含む）、およびゲームがプレイされた日時を示す利用情報を、互いに関連付けて、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像、画像ＩＤ、および利用情報を、管理サーバ４の通信部４０３が受信し（ステップＳ７）、通信制御部４１１に出力する。通信制御部４１１は、受信した画像、画像ＩＤ、メールアドレスおよび利用情報を、記憶部４０２の図示しない一時保存データベースに保存する。保存された画像などのデータは、規定の期限が経過するまで一時保存データベースに格納され続け、期限が経過すると自動的に一時保存データベースから削除される。
【０１４８】
なお、ユーザが無料会員である場合、取得することができる画像は事後接客において選択した画像１枚だけである。しかし、通信制御部３１１は、管理サーバ４に対してすべての画像を送信する。これにより、ユーザは、無料会員の状態で撮影したあと、サイト上で有料会員になった場合に、事後接客において選択しなかった画像も含めて、無料会員の状態で撮影したすべての画像を取得することができる。
【０１４９】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１５０】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１５１】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１５２】
（画像保存用ウェブページの要求）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。ユーザがＵＲＬ１１０２を選択することで、ユーザによって操作される携帯端末６が、コンテンツの保存処理を行うために管理サーバ４にアクセスする。
【０１５３】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１５４】
通信制御部４１１は、送信されたリクエストを、通信部４０３を通じて受信し（ステップＳ１１）、制御部４０１に出力する。
【０１５５】
制御部４０１は、リクエストに含まれる会員ＩＤと関連付けて、リクエストに対応するユーザの、一時保存データベースに保存された利用履歴を記憶部４０２に保存する（Ｓ１２）。制御部４０１は、写真シール作成装置１から受信したメールアドレスの数から、写真シール作成装置１を一緒に（共同で）プレイした人数を特定する。制御部４０１は、受信した画像に含まれる人物を、顔認識または人認識の技術を用いて検出することにより、写真シール作成装置１を一緒にプレイした人数を特定してもよい。制御部４０１は、利用情報（利用日時）に関連付けて、その時一緒に利用した人数の情報も、記憶部４０２に保存する。なお、利用履歴として保存される利用情報は、利用された写真シール作成装置１を特定する情報を含む。制御部４０１は、ユーザと一緒にプレイした他のユーザの情報を、友達情報として会員データベース４２２に記憶させてもよい。友達情報として、一緒にプレイしたユーザのメールアドレス、写真シール作成装置１における画像編集（名前スタンプ機能）における入力内容、画像提供サイトの会員属性、および会員ＩＤ等が関連付けられてもよい。制御部４０１は、受け取ったリクエストをウェブページ作成部４１３に出力する。
【０１５６】
ウェブページ作成部４１３は、リクエストに含まれる会員ＩＤを会員データベース４２２に照会することによって、ユーザの会員種別を判定する（ステップＳ１３）。換言すれば、ウェブページ作成部４１３は、携帯端末６が管理サーバ４にアクセスした場合に、ユーザの属性としての会員種別を示す情報を取得する。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５の（ｂ）に示すような、無料会員が会員種別を有料会員に変更するためのウェブページ１１０３を作成する。一方、ユーザが有料会員であると判定した場合には、図１５の（ｃ）に示すような、有料会員が画像を保存するためのウェブページ１１０７を作成する。すなわち、ウェブページ作成部４１３は、ユーザの属性としての会員種別に応じて異なる決済画面を携帯端末６に最初に表示させる。より具体的には、ウェブページ作成部４１３は、ユーザの会員種別が無料会員である場合に、会員種別を有料会員に変更するための決済画面にユーザを直接遷移させる。
【０１５７】
図１５の（ｂ）に示すように、ウェブページ１１０３は、複数のサムネイル画像１１０４Ａ、１１０４Ｂ、および１１０４Ｃ、並びに、有料会員登録を行う場合における決済手段を選択するための複数のリンク画像１１０５Ａ、１１０５Ｂおよび１１０５Ｃを含んでいる。サムネイル画像１１０４Ａ〜１１０４Ｃは、写真シール作成装置１においてユーザが作成した画像のサムネイルである。
【０１５８】
また、ウェブページ１１０３は、有料会員登録を行わず、画像を１枚だけ保存するためのリンク画像１１０６を含んでいる。リンク画像１１０６は、有料会員登録を行うユーザの利便性を考慮して、リンク画像１１０５Ａ〜１１０５Ｃよりも下方に配されることが好ましい。
【０１５９】
図１５（ｃ）に示すように、ウェブページ１１０７は、複数のサムネイル画像１１０４Ａ〜１１０４Ｃ、および、全ての画像を保存するためのリンク画像１１０８を含んでいる。
【０１６０】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１４）。
【０１６１】
（有料会員登録）
携帯端末６は、通信部６０３を通じてウェブページ１１０３を受信する（ステップＳ１５）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。本例では、ユーザは、有料会員登録を行うために、入力部６０４により、決済手段を選択するためのリンク画像１１０５Ａ〜１１０５Ｃのいずれかを選択する。
【０１６２】
入力制御部６１２は、入力部６０４における選択入力を受け付け、選択された決済手段を通信制御部６１１に通知する。これを受けて、通信制御部６１１は、有料会員登録の指示を管理サーバ４に送信する（ステップＳ１６）。
【０１６３】
通信制御部６１１から送信された指示を、通信制御部４１１が通信部４０３を通じて受信する（ステップＳ１７）。これにより通信制御部４１１は、有料会員登録の処理を会員管理部４１５に指示する。会員管理部４１５は、この指示を受けて、ユーザの会員種別を、無料会員から有料会員に変更する処理を実行する（ステップＳ１８）。そして処理が完了すると、全ての画像がユーザの会員ＩＤに関連付けられて画像データベース４２４に保存される（ステップＳ１９）。これにより、図１４に示す一連の処理は完了する。
【０１６４】
なお、ウェブページ１１０３において、ユーザが画像を１枚だけ保存するためのリンク画像１１０６を選択した場合、入力制御部６１２は、入力部６０４における選択入力を受け付け、リンク画像１１０６が選択されたことを通信制御部６１１に通知する。これを受けて、通信制御部６１１は、保存する画像を選択するためのウェブページのリクエストを管理サーバ４に送信する。
【０１６５】
送信されたリクエストを、通信制御部４１１が通信部４０３を通じて受信する。これにより通信制御部４１１は、ウェブページの作成をウェブページ作成部４１３に指示する。ウェブページ作成部４１３は、この指示を受けて、保存する画像を選択するためのウェブページを作成する。作成されたウェブページは携帯端末６へ送信され、表示部６０５に表示される。ユーザは、当該ウェブページにおいて、保存する画像を選択する。ユーザが選択した画像が管理サーバ４に通知され、ユーザの会員ＩＤに関連付けられて画像データベース４２４に保存される。
【０１６６】
以上のとおり、管理サーバ４において、ウェブページ作成部４１３は、ユーザの会員種別に応じて異なる決済画面を携帯端末６に表示させる制御を行う。したがって、会員種別を無料会員から有料会員に変更しようとするユーザの手間を低減することができる。
【０１６７】
なお、上述した例では、ユーザはステップＳ１０において案内メール１１０１に記載されているＵＲＬ１１０２を選択することで画像にアクセスした。しかし、ユーザが、案内メール１１０１に記載されているＵＲＬ１１０２ではなく、写真シールに印刷されたＵＲＬから画像にアクセスすることも考えられる。この場合には、上述した例におけるステップＳ１０の代わりに、写真シールに印刷されたＵＲＬを用いたアクセスが実行される。
【０１６８】
また、管理サーバ４からユーザに対してメールを送信せず、写真シールに印刷されたＵＲＬを用いたアクセスのみ可能としてもよい。この場合には、管理サーバ４は、メール作成部４１２を備えなくてよい。
【０１６９】
また、ウェブページ作成部４１３は、ユーザが有料会員であると判定した場合には、有料会員が有料会員プラス登録を行うためのウェブページを作成してもよい。
【０１７０】
また、上述した例では、決済画面は、必要な情報をユーザに入力させるものであった。しかし、決済画面は、例えば必要な情報が予め記載されており、ユーザが当該情報に基づく有料会員登録を承認するボタンを押下するだけで決済が完了するものであってもよい。すなわち、決済画面は、ユーザに課金を行うために必要な操作を実行させるものであればよい。
【０１７１】
（会員種別について）
以下、会員種別について説明する。上述したとおり、本実施形態における会員種別には、無料会員、有料会員および非会員が存在する。非会員には、登録していないユーザの他、無料会員または有料会員であって、サイトにログインしていないユーザも該当する。
【０１７２】
より詳細には、無料会員には、通常無料会員および暫定無料会員が存在する。また、有料会員には通常有料会員、暫定有料会員、有料仮会員、通常有料会員プラス、暫定有料会員プラス、およびプラス仮会員が存在する。以下の説明では、通常無料会員、通常有料会員および通常有料会員プラスを通常会員と総称することがある。また、暫定無料会員、暫定有料会員および暫定有料会員プラスを暫定会員と総称することがある。また、有料仮会員およびプラス仮会員を仮会員と総称することがある。
【０１７３】
図１６は、会員種別が暫定会員であるユーザ（当該ユーザの携帯端末６）に対する管理サーバ４の応答の流れを示す図である。図１６の（ａ）は、ユーザの携帯端末６が初回に暫定会員登録を要求した（暫定会員アカウントの発行を要求した）場合の、管理サーバ４の応答を示す図である。図１６の（ｂ）は、初回以降に当該暫定会員のアカウントでコンテンツ提供サービスのウェブページに接続する場合の、管理サーバ４の応答を示す図である。
【０１７４】
図１６の（ａ）に示すように、まず始めに携帯端末６から暫定会員アカウントの発行が要求されると、会員管理部４１５は当該要求を受信して、記憶部４０２に暫定会員ユーザ専用の記憶領域を確保するとともに、当該ユーザの会員情報を生成および記録する。なお、暫定会員の会員情報は、通常会員の会員情報と基本的に同様のデータ構成ではあるが、必須項目に未登録項目がある状態の情報である。会員管理部４１５は会員情報を記録すると、ウェブページ作成部４１３に対しコンテンツ提供サイトのウェブページ（例えば、暫定会員登録完了を示すページなど）を作成させて携帯端末６に送信させる。このとき、会員管理部４１５は当該ウェブページとともに、携帯端末６にトークンを送信する。このトークンは暫定会員を識別する識別子であり、ユーザは見かけ上確認できないデータである。携帯端末６は受信したウェブページを表示するとともに、当該ウェブブラウザのＣｏｏｋｉｅ、または携帯端末６の記憶部にトークンを保存する。なお、Ｃｏｏｋｉｅにトークンを保存する場合には、１ブラウザに１トークンのみ保存可能とすることが望ましい。また、携帯端末６の記憶部６０２にトークンを保存する場合には、１端末につき１トークンのみ保存可能とすることが望ましい。
【０１７５】
そして、図１６の（ｂ）に示すように、コンテンツ提供サービスのウェブサイトを次に携帯端末６（の同ブラウザ）で閲覧する場合、携帯端末６はウェブページの要求とともに、保存してあるトークンを送信する。管理サーバ４は上記要求およびトークンを受信すると、会員管理部４１５は、当該トークンが示す暫定会員の会員情報をウェブページ作成部４１３に送る。そしてウェブページ作成部４１３は、受信した会員情報に基づいて、当該暫定会員のマイページなど、暫定会員のアカウントに応じたウェブページを作成し、携帯端末６に送信する。なおこのとき、トークンが再び携帯端末６に送信されてもよい。携帯端末６はアカウントに応じて作成されたウェブページを受信し、表示する。
【０１７６】
なお、上記トークンの有効期間、すなわち暫定会員の有効期間は任意で定められて良いが、コンテンツ提供サイトの一般的会員の利用頻度に応じて設定されることが望ましい。例えばトークンの有効期限は、初回のアクセス（暫定会員登録）から１８０日としてもよい。また、暫定会員ユーザが所定期間内に通常会員登録をしない場合、当該暫定会員の会員情報を削除（アカウントを削除）してもよい。また、携帯端末６側で保存したトークンを削除すると、当該トークンが示す暫定会員のアカウントではコンテンツ提供サービスを閲覧できなくなる（暫定会員アカウントを再発行するようにする）ようにしてもよい。この場合、古いアカウントの会員情報および当該会員情報と紐付く情報（指定コンテンツなど）は削除してもよい。
【０１７７】
暫定会員ユーザのアカウントは、ワンタイムアカウントではなく、一度暫定会員登録を行ったら所定期間中または継続的に、利用されるアカウントである。このため、暫定会員ユーザは通常会員ユーザと同様に、コンテンツ提供サービス上でのコンテンツの保存、閲覧、および編集等を行うことができる。例えば、コンテンツ提供サービスの提供するウェブページにおいて、暫定会員としてログインすることで、暫定会員ユーザは自己のマイページ（ユーザ固有のトップページ）や、当該サービスに保存しているコンテンツの表示などを行うことができる。
【０１７８】
ただし、暫定会員が保存可能な画像の数は、通常会員と比較して少なく（例えば１枚）制限されている。暫定会員が、制限された枚数を超えて画像を保存しようとした場合には、ウェブページ作成部４１３はメールアドレスの登録を促すウェブページを作成し、当該ウェブページが携帯端末６へ送信される。すなわち、ウェブページ作成部４１３は、メールアドレスの登録を促すウェブページに、会員種別が暫定会員であるユーザを遷移させる。
【０１７９】
また、仮会員とは、サイトへログインせずに有料会員登録を行ったユーザの会員種別である。したがって、仮会員であり、かつ無料会員であるという会員種別は存在しない。有料仮会員およびプラス仮会員については、画像の保存は不可能である。このため、仮会員が画像を保存しようとした場合には、ウェブページ作成部４１３はメールアドレスの登録を促すウェブページを作成し、当該ウェブページが携帯端末６へ送信される。すなわち、ウェブページ作成部４１３は、メールアドレスの登録を促すウェブページに、会員種別が仮会員であるユーザを遷移させる。
【０１８０】
図１７は、会員種別の遷移について説明するための図である。
【０１８１】
初期状態において、ユーザの会員種別は非会員（ＳＴ１）である。ここで、メールアドレスを登録して会員登録すると、会員種別が非会員から通常無料会員（ＳＴ２）に変更される。さらに所定の金額の課金を行うことで、会員種別が通常無料会員から通常有料会員（ＳＴ３）に変更される。通常有料会員の状態から、さらに追加で課金することで、通常有料会員から通常有料会員プラス（ＳＴ４）にアップグレードできる。また、通常無料会員の状態から通常有料会員を経由せずに、通常有料会員プラスに直接アップグレードすることもできる。
【０１８２】
一方、暫定無料会員の登録を行った場合、会員種別は非会員から暫定無料会員（ＳＴ５）に変更される。暫定無料会員の状態で所定の金額の課金を行うことで、暫定有料会員（ＳＴ６）に変更される。暫定有料会員の状態から、さらに追加で課金することで、暫定有料会員プラス（ＳＴ７）にアップグレードできる。また、暫定無料会員の状態から暫定有料会員を経由せずに、暫定有料会員プラスに直接アップグレードすることもできる。
【０１８３】
また、非会員の状態から、有料会員に直接入会した場合には、会員種別は有料仮会員（ＳＴ８）となる。有料仮会員の状態から、さらに追加で課金することで、プラス仮会員（ＳＴ９）にアップグレードできる。
【０１８４】
また、暫定会員または仮会員がメールアドレスを登録することで、対応する通常会員に会員種別が変更される。例えば会員種別が暫定有料会員または有料仮会員であるユーザがメールアドレスを登録することで、通常有料会員に変更される。ただし、会員種別を暫定会員または仮会員から通常会員に変更した後に、再び暫定会員または仮会員に戻すことはできない。
【０１８５】
なお、管理サーバ４において、会員種別は、必ずしも暫定会員およびプラス会員を含む必要はない。すなわち、会員種別は、少なくとも通常無料会員、通常有料会員、および非会員を含んでいればよい。
【０１８６】
また、上記の例では、会員種別を通常会員とするためにはメールアドレスの登録が必要であった。しかし、会員種別を暫定会員または仮会員から通常会員に変更するために登録する必要がある情報は、メールアドレスのみに限定されない。例えば、会員種別を通常会員とするために、氏名、居住地、性別および生年月日などの情報を登録するようにしてもよい。
【０１８７】
なお、管理サーバ４においては、ウェブページ作成部４１３が会員種別を判定し、さらに当該会員種別に応じたウェブページを作成した。しかし、管理サーバ４においては、会員種別を判定する機能ブロックが、ウェブページ作成部４１３とは別であってもよい。
【０１８８】
また、上記の例では、管理サーバ４が記憶部４０２を備えていた。しかし、本発明の一態様に係る管理サーバは、それ自体は記憶部を備えず、外部に設けられた記憶装置と通信可能に構成されていてもよい。
【０１８９】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【０１９０】
画像保存サービスは、画像提供サイトを介してではなく、画像管理アプリケーション（画像管理アプリ）を介して提供されてもよい。ここで、画像管理アプリとは、携帯端末６にインストールされるアプリケーションプログラムであり、ユーザの入力操作に応じて管理サーバ４と通信を行い、管理サーバ４に保存された画像を管理するためのアプリケーションプログラムである。
【０１９１】
図１８は、本実施形態に係る携帯端末６Ａ（端末装置）の構成を示す図である。携帯端末６Ａは、例えば上記の画像管理アプリがインストールされた端末装置である。図１８に示すように、携帯端末６Ａは、制御部６０１および記憶部６０２の代わりに、制御部６０１Ａおよび記憶部６０２Ａを備える点で携帯端末６と相違する。
【０１９２】
制御部６０１Ａは、制御部６０１の構成に加えて、ウェブページ作成部６１４（属性取得部、画面表示制御部）を備える。ウェブページ作成部６１４は、実施形態１において管理サーバ４が備えていたウェブページ作成部４１３と同様の機能を有する。
【０１９３】
記憶部６０２Ａは、記憶部６０２の構成に加えて、ウェブページデータベース６２１を備える。ウェブページデータベース６２１は、実施形態１において管理サーバ４の記憶部４０２に記憶されていたウェブページデータベース４２３と同様のものである。
【０１９４】
実施形態１における携帯端末６は、ウェブページ作成部４１３が作成したウェブページのデータを管理サーバ４から受信して表示部６０５に表示するものであった。これに対し、本実施形態における携帯端末６Ａは、ユーザの会員種別を示す情報、および画像などを管理サーバ４から受信する。ウェブページ作成部６１４は、受信した会員種別に応じたウェブページを作成し、表示制御部６１３を介して表示部６０５に表示させる。
【０１９５】
このように、ウェブページ作成部６１４を備える携帯端末６Ａも、本発明の一態様に含まれるものである。
【０１９６】
なお、上述した管理サーバ４と同様、携帯端末６Ａにおいても、会員種別について判定する機能ブロックが、ウェブページ作成部６１４と別であってもよい。さらに、会員種別について判定する機能ブロックは、管理サーバ４の側に設けられていてもよい。すなわち、管理サーバ４の側で会員種別について判定した後、判定結果を携帯端末６Ａに送信し、当該判定結果に応じたウェブページを携帯端末６Ａの側で作成して表示部６０５に表示してもよい。
【０１９７】
〔実施形態３〕
本発明のさらに他の実施形態について、以下に説明する。なお、以下の説明では、ウェブページについて、ウェブページ作成部４１３が作成するものとして説明するが、ウェブページ作成部６１４が作成してもよいことは言うまでもない。
【０１９８】
メール作成部４１２は、複数のＵＲＬを含む案内メールを作成してもよい。複数のＵＲＬは、例えば画像を１枚保存するためのＵＲＬと、全部の画像を保存するためのＵＲＬとであってよい。ユーザが全部の画像を保存するためのＵＲＬを選択すると、ウェブページ作成部４１３は当該ユーザの会員種別について判定し、無料会員であった場合には、有料会員登録を行うためのウェブページを作成する。
【０１９９】
また、ウェブページ作成部４１３は、ユーザの会員種別に加えて、ユーザの年齢に応じたウェブページを作成してもよい。すなわち、ウェブページ作成部４１３が取得する属性は、ユーザの年齢を含んでいてもよい。例えばユーザの会員種別が無料会員であり、かつ年齢が１８歳未満である場合には、ウェブページ作成部４１３は、アプリでの決済手段を選択するためのリンク画像を含むウェブページを作成する。一方、ユーザの会員種別が無料会員であり、かつ年齢が１８歳以上である場合には、ウェブページ作成部４１３は、サイトでの決済手段を選択するためのリンク画像を含むウェブページを作成する。
【０２００】
ここで、アプリでの決済手段とは、例えばプリペイドカード、またはコンビニエンスストアなどでの支払いが可能な決済手段である。すなわち、アプリでの決済手段は、年齢に無関係に利用可能な決済手段である。一方、サイトでの決済手段は、クレジットカードを用いた決済手段であるため、１８歳以上のユーザでなければ利用できない。したがって、ユーザの年齢に応じて、当該ユーザが利用可能な決済手段を選択可能なウェブページを作成することで、決済手段を選択する手間を低減することができる。
【０２０１】
また、ウェブページ作成部４１３は、ユーザの会員種別には無関係に、ユーザの年齢に応じたウェブページを作成してもよい。例えばユーザの年齢が１８歳未満である場合には、ウェブページ作成部４１３は、アプリでの決済手段を選択するためのリンク画像を含むウェブページを作成する。一方、ユーザの年齢が１８歳以上である場合には、ウェブページ作成部４１３は、サイトでの決済手段を選択するためのリンク画像を含むウェブページを作成する。ただし、ユーザの会員種別には無関係に、ユーザの年齢に応じたウェブページを作成する場合には、有料会員に対しても決済用のウェブページを作成することとなる。
【０２０２】
また、ウェブページ作成部４１３は、ユーザの会員種別に加えて、ユーザの性別に応じたウェブページを作成してもよい。すなわち、ウェブページ作成部４１３が参照する属性は、ユーザの性別を含んでいてもよい。例えばユーザの会員種別が無料会員であり、かつ性別が男性である場合には、ウェブページ作成部４１３は、有料会員登録を行うためのウェブページを作成する。一方、ユーザの会員種別が無料会員であり、かつ性別が女性である場合には、ウェブページ作成部４１３は、有料会員プラス登録を行うためのウェブページを作成する。ユーザの性別に応じたウェブページを作成することは、プラス会員が受けられるサービスが主にいずれかの性別のユーザをターゲットとするものである場合に有効である。
【０２０３】
また、ウェブページ作成部４１３は、有料会員と、有料会員プラスと、のいずれに登録するかを選択可能なウェブページを作成してもよい。
【０２０４】
〔ソフトウェアによる実現例〕
管理サーバ４または携帯端末６Ａの制御ブロック（特にメール作成部４１２、ウェブページ作成部４１３および６１４）は、集積回路（ＩＣチップ）等に形成された論理回路（ハードウェア）によって実現してもよいし、ソフトウェアによって実現してもよい。
【０２０５】
後者の場合、管理サーバ４または携帯端末６は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０２０６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０２０７】
１  写真シール作成装置（画像作成装置）
４  管理サーバ（管理装置）
４１２  メール作成部（アクセス情報作成部）
４１３  ウェブページ作成部（属性取得部、画面表示制御部）
６、６Ａ  携帯端末（端末装置）
【図１】
2019152921.tif 000003
【図２】
2019152921.tif 000004
【図３】
2019152921.tif 000005
【図４】
2019152921.tif 000006
【図５】
2019152921.tif 000007
【図６】
2019152921.tif 000008
【図７】
2019152921.tif 000009
【図８】
2019152921.tif 000010
【図９】
2019152921.tif 000011
【図１０】
2019152921.tif 000012
【図１１】
2019152921.tif 000013
【図１２】
2019152921.tif 000014
【図１３】
2019152921.tif 000015
【図１４】
2019152921.tif 000016
【図１５】
2019152921.tif 000017
【図１６】
2019152921.tif 000018
【図１７】
2019152921.tif 000019
【図１８】
2019152921.tif 000020